(57)【要約】      （修正有）【課題】支持柱に巻きついたロープを便利に切断することができ、人が高いところに登って操作する危険を避けることができる屋外アンテナを提供する。【解決手段】屋外アンテナは、ベース、ベースに設けられた台座、台座に設けられた支持柱１、支持柱の上部に設けられたアンテナモジュールを含み、支持柱の外壁に上下に垂直の溝が設けられ、支持柱に切断スリーブ６が設けられ、切断スリーブの内壁に溝内に設置されたブレードが設けられ、切断スリーブに更に第一磁石６１が設けられ、支持柱の内部キャビティに環状牽引部材８が設けられ、牽引部材の外壁に第二磁石８１及び牽引ロープ７が設けられ、牽引ロープが支持柱上部の滑車をバイパスした後に下向きに延びてロープ巻き取り装置に接続される。牽引部材の上昇又は降下時に、磁気吸引切断スリーブに設置されたブレードが溝を通って滑り、支持柱に巻きついたロープを容易に切断する。【選択図】図８
0003222597.tif 000002
【実用新案登録請求の範囲】
【請求項１】
屋外アンテナであって、
ベース（２）、前記ベース（２）に設けられた台座（１１）、前記台座（１１）に設けられた支持柱（１）、前記支持柱（１）の上部に設けられたアンテナモジュールを含み、
前記支持柱（１）は中空柱状構造であり、前記支持柱（１）の上部に取り付けプラットフォーム（５）が設けられ、前記支持柱（１）の外壁に上下に垂直な溝（１３）が設けられ、前記支持柱（１）に上下に移動可能な切断スリーブ（６）が設けられ、前記切断スリーブ（６）の内壁に溝（１３）内に設置されたブレード（６３）が設けられ、前記切断スリーブ（６）に更に第一磁石（６１）が設けられ、前記支持柱（１）の内部キャビティに環状牽引部材（８）が設けられ、前記牽引部材（８）の外壁に第一磁石（６１）に吸い込まれた第二磁石（８１）が設けられ、牽引部材（８）に上向きの牽引ロープ（７）は接続され、前記牽引ロープ（７）が前記支持柱（１）上部の滑車（８）をバイパスした後に下向きに延び且つロープ巻き取り装置に接続され、前記ロープ巻き取り装置は前記台座（１１）に設けられたロープ巻き取りモータ（１１５）及び前記ロープ巻き取りモータ（１１５）に接続されたロープ巻き取りロッド（１１６）を含み、
前記アンテナモジュールは取り付けプラットフォーム（５）に固定されたアンテナ本体取り付け座（４）を含み、前記アンテナ本体取り付け座（４）の片側にアンテナ本体（３）が設けられ、
前記台座（１１）に更に回路モジュール、制御モジュールが設けられ、前記回路モジュール、前記制御モジュール、前記ロープ巻き取りモータ（１１５）の間は回路構造によって接続され、前記制御モジュールが前記ロープ巻き取りモータ（１１５）の回転を制御することを特徴とする屋外アンテナ。
【請求項２】
屋外アンテナであって、前記切断スリーブ（６）の内壁と前記支持柱（１）の外壁との間に隙間が残され、前記牽引部材（８）の外壁と前記支持柱（１）の内壁との間に隙間が残され、前記切断スリーブ（６）の内壁に第一ボール（６２）が埋め込まれ、前記牽引部材（８）の外壁に第二ボール（８２）が埋め込まれることを特徴とする請求項１に記載の屋外アンテナ。
【請求項３】
屋外アンテナであって、前記牽引部材（８）の中に内部構造ブロック（８４）が設けられ、前記内部構造ブロック（８４）の中心にカウンターウェイトブロック（８５）が設けられ、前記カウンターウェイトブロック（８５）の上部が前記牽引ロープ（７）の一端に接続されることを特徴とする請求項１に記載の屋外アンテナ。
【請求項４】
屋外アンテナであって、前記アンテナ本体（３）はキャビティを有する基幹（３１）及び一部の基幹（３１）キャビティの中に設けられた振動子モジュールを含み、前記振動子モジュールは取り付けピース（３３）、振動子ピース（３２）を含み、前記振動子ピース（３２）がピンシャフト（３２４）に固定され、前記ピンシャフト（３２４）が回転可能に取り付けピース（３３）に設けられ、且つピンシャフト（３２４）の取り付けピース（３３）を貫通する一端にギア（３２３）が固定され、前記基幹（３１）キャビティの内壁にギア（３２３）に噛み合うラックギヤ（３１３）が設けられ、前記取り付けピース（３３）のアンテナ本体取り付け座（４）の中に設けられた一端にグローサ（３３３）が設けられ、前記グローサ（３３３）がアンテナ本体取り付け座（４）の中に設けられた第二ギア（４２）に噛み合い、前記第二ギア（４２）がギアモータ（４１）に接続され、ギアモータ（４１）はワイヤによって回路モジュールに接続され、制御モジュールはワイヤの通電、停電、電流方向を制御し、前記第二ギア（４２）が回転する時にグローサ（３３３）によって取り付けピース（３３）の移動を案内し、前記基幹（３１）の側部に振動子ピース（３２）が突出するための側溝（３１２）は設けられることを特徴とする請求項１に記載の屋外アンテナ。
【請求項５】
屋外アンテナであって、前記台座（１１）のケースには開閉可能なサイドドア（１０）が設けられ、前記サイドドア（１０）に制御パネルが設けられることを特徴とする請求項１に記載の屋外アンテナ。
【請求項６】
屋外アンテナであって、取り付けピース（３３）両側にある振動子ピース（３２）は対称に取り付けピース（３３）に設けられ、且つ対称に設置された二つのギア（３２３）は噛み合い、ギア（３２３）と振動子ピース（３２）がそれぞれ取り付けピース（３３）の両側に設けられ、グローサ（３３３）は取り付けピース（３３）一端の上下表面に設けられ、上表面でのグローサと下表面でのグローサはそれぞれ第二ギア（４２）に噛み合うことを特徴とする請求項１に記載の屋外アンテナ。
【考案の詳細な説明】
【技術分野】
【０００１】
本実用新案はアンテナの分野に属し、具体的に屋外で使用するためのアンテナに関する。
【背景技術】
【０００２】
アンテナは多くの通信装置、電子装置が信号を受信するための装置であり、機能差が大きく、種類も多く、その中でテレビアンテナはよく見かけるものである。
【０００３】
一般的に、無線信号の受信品質を向上させるために、受信アンテナを屋外に固定する必要がある。通常のアンテナ支持柱とアンテナ本体は、屋外で使用する場合に、アンテナ支持柱にロープが巻きやすく、特に春になると、屋外で凧を飛ばす人が多く、凧のロープが支持柱又はアンテナ本体に巻きやすく、アンテナが一般的に高いところに取り付けられるので、これらの巻きロープを取り扱うのは非常に面倒であり、且つ一定の危険性がある。
【０００４】
上記問題に鑑み、本実用新案は研究を行い、且つ支持柱に巻かれたロープを容易に切断することができる屋外アンテナを提供する。
【考案の概要】
【考案が解決しようとする課題】
【０００５】
従来技術の欠点に鑑み、本実用新案は屋外アンテナを提供し、支持柱に巻かれたロープを容易に切断することができる。
【課題を解決するための手段】
【０００６】
上記技術的問題を解決するために、本実用新案は以下の技術的解決手段によって解決される。
【０００７】
屋外アンテナであって、ベース、ベースに設けられた台座、台座に設けられた支持柱、支持柱の上部に設けられたアンテナモジュールを含み、その特徴は以下のとおりである：前記支持柱は中空柱状構造であり、支持柱の上部に取り付けプラットフォームが設けられ、前記支持柱の外壁に上下に垂直な溝が設けられ、支持柱に上下に移動可能な切断スリーブが設けられ、前記切断スリーブの内壁に溝内に設置されたブレードが設けられ、切断スリーブに更に第一磁石が設けられ、支持柱の内部キャビティに環状牽引部材が設けられ、前記牽引部材の外壁に第一磁石に吸い込まれた第二磁石が設けられ、牽引部材に上向きの牽引ロープは接続され、該牽引ロープが支持柱上部の滑車をバイパスした後に下向きに延びって且つロープ巻き取り装置に接続され、前記ロープ巻き取り装置は台座に設けられたロープ巻き取りモータ及び該ロープ巻き取りモータに接続されたロープ巻き取りロッドを含み、前記アンテナモジュールは取り付けプラットフォームに固定されたアンテナ本体取り付け座を含み、該アンテナ本体取り付け座の片側にアンテナ本体が設けられ、前記台座に更に回路モジュール、制御モジュールが設けられ、回路モジュール、制御モジュール、ロープ巻き取りモータの間に回路構造によって接続され、制御モジュールがロープ巻き取りモータの回転を制御する。
【０００８】
本技術では、ロープ巻き取りモータが回転する場合に、正転と逆転の状態で牽引ロープの巻き取りと解除を実現することができ、それによって牽引部材の上昇と降下を実現することができる。牽引部材の上昇又は降下の場合に、その磁気吸引切断スリーブの上昇又は降下を促進することができ、このプロセスでブレードが溝を通って滑り、支持柱に巻かれたロープを容易に切断することができる。
【０００９】
好ましくは、前記切断スリーブの内壁と支持柱の外壁との間に隙間が残され、前記牽引部材の外壁と支持柱の内壁との間に隙間が残され、切断スリーブの内壁に第一ボールが埋め込まれ、牽引部材の外壁に第二ボールが埋め込まれる。該構造によって切断スリーブと牽引部材が上下に移動する時の抵抗は小さい。
【００１０】
好ましくは、前記牽引部材の中に内部構造ブロックが設けられ、前記内部構造ブロックの中心にカウンターウェイトブロックが設けられ、カウンターウェイトブロックの上部が牽引ロープの一端に接続され、内部構造ブロックに上下中空構造があり、牽引ロープとワイヤーが便利に通り抜けることができ、カウンターウェイトブロック金属ブロックにすることができ、重量を増やし、牽引部材を落ちやすくする。
【００１１】
好ましくは、前記アンテナ本体はキャビティを有する基幹及び一部の基幹キャビティの中に設けられた振動子モジュールを含み、前記振動子モジュールは取り付けピース、振動子ピースを含み、前記振動子ピースがピンシャフトに固定され、該ピンシャフトが回転可能に取り付けピースに設けられ、且つピンシャフトの取り付けピースを貫通する一端にギアが固定され、前記基幹キャビティの内壁にギアに噛み合うラックギヤが設けられ、前記取り付けピースのアンテナ本体取り付け座の中に設けられた一端にグローサが設けられ、該グローサがアンテナ本体取り付け座の中に設けられた第二ギアに噛み合い、前記第二ギアが前記ギアモータに接続され、前記ギアモータはワイヤによって回路モジュールに接続され、制御モジュールはワイヤの通電、停電、電流方向を制御し、前記第二ギアが回転する時にグローサによって取り付けピースの移動を案内し、前記基幹の側部に振動子ピースが突出するための側溝は設けられる。
【００１２】
本技術では、ギアモータの通電と回転方向を制御することにより、第二ギアに噛み合うグローサの移動をを駆動させ、取り付けピースの移動を実現することができ、取り付けピースが移動する過程に、ラックギアに噛み合うギアが回転し、ピンシャフトの回転を実現することができ、更に振動子ピースの展開と閉鎖を実現することができ、振動子ピース内縁が鋭利であり、振動子ピースの閉鎖過程に、振動子ピース内縁が側溝と協働してその上に巻かれたロープを切断することができる。
【００１３】
好ましくは、台座のケースには開閉可能なサイドドアが設けられ、該サイドドアに制御パネルが設けられ、電気部品の動作を制御することに用いられる。
【００１４】
好ましくは、取り付けピース両側にある振動子ピースは対称に取り付けピースに設けられ、且つ対称に設置された二つのギアは噛み合い、ギアと振動子ピースがそれぞれ取り付けピースの上下両側に設けられ、該構造によって振動子ピースの展開と閉鎖がより安定して制御可能となり、グローサは取り付けピース一端の上下表面に設けられ、上表面でのグローサと下表面でのグローサはそれぞれ第二ギアに噛み合い、上下二つの第二ギアが同時に回転し動作し、取り付けピースの伸縮がより安定して制御可能になる。
【考案の効果】
【００１５】
従来技術と比較し、本実用新案は以下の有益な効果を有する。屋外アンテナを提供し、支持柱に巻かれたロープを便利に切断することができ、人が高いところに登って操作する危険を避けることができる。
【図面の簡単な説明】
【００１６】
【図１】本実用新案の構造図である。
【００１７】
【図２】図１におけるＡ領域の拡大図である。
【００１８】
【図３】図１におけるＢ領域の拡大図である。
【００１９】
【図４】切断スリーブの平面図である。
【００２０】
【図５】切断スリーブの断面図一である。
【００２１】
【図６】切断スリーブの断面図二である。
【００２２】
【図７】切断スリーブの断面図三である。
【００２３】
【図８】切断スリーブにおける支持柱の断面図一である。
【００２４】
【図９】切断スリーブにおける支持柱の断面図二である。
【００２５】
【図１０】図９におけるＣ領域の拡大図である。
【００２６】
【図１１】アンテナモジュールの構造図である。
【００２７】
【図１２】アンテナモジュールの断面構造図である。
【００２８】
【図１３】振動子ピース展開の構造図である。
【００２９】
【図１４】図１３におけるＤ領域の拡大図である。
【００３０】
【図１５】振動子ピース閉鎖の構造図である。
【００３１】
【図１６】図１５におけるＥ領域の拡大図である。
【００３２】
【図１７】振動子モジュールの構造図一である。
【００３３】
【図１８】振動子モジュールの構造図二である。
【００３４】
【図１９】振動子モジュールの側面図である。
【００３５】
【図２０】図１８におけるＧ領域の拡大図である。
【００３６】
【図２１】図１９におけるＨ領域の拡大図である。
【００３７】
【図２２】基幹の内部構造図である。
【００３８】
【図２３】図２２におけるＩ領域の拡大図である。
【００３９】
【図２４】基幹の側面内部構造図である。
【００４０】
【図２５】基幹の側面図である。
【考案を実施するための形態】
【００４１】
以下は付図と具体的な実施例を結合して本実用新案を更に詳しく説明する。
【００４２】
図１乃至図２５に示すように、屋外アンテナであって、ベース２、ベース２に設けられた台座１１、台座１１に設けられた支持柱１、支持柱１の上部に設けられたアンテナモジュールを含み、前記支持柱１が中空柱状構造であり、支持柱１の上部に取り付けプラットフォーム５が設けられ、前記支持柱１の外壁に上下に垂直な溝１３が設けられ、溝１３が共に２つであり、対称に設置され、支持柱１に上下に移動可能な切断スリーブ６が設けられ、前記切断スリーブ６の内壁に溝１３内に設置された二つのブレード６３が設けられ、ブレード６３が刃先を上下に有し、切断スリーブ６に更に上下二つの環状第一磁石６１が設けられ、支持柱１の内部キャビティに環状牽引部材８が設けられ、前記牽引部材８の外壁に第一磁石６１に吸い込まれた上下二つの環状第二磁石８１が設けられ、牽引部材８に上向きの牽引ロープ７は接続され、該牽引ロープ７が支持柱１上部の滑車をバイパスした後に下向きに延びって且つロープ巻き取り装置に接続され、前記ロープ巻き取り装置は台座１１に設けられたロープ巻き取りモータ１１５及び該ロープ巻き取りモータ１１５に接続されたロープ巻き取りロッド１１６を含む。
【００４３】
図３に示すように、本実用新案では、前記アンテナモジュールは取り付けプラットフォーム５に固定されたアンテナ本体取り付け座４を含み、該アンテナ本体取り付け座４の片側にアンテナ本体３が設けられ、前記台座１１に仕切板１１２は設けられ、該仕切板１１２が台座キャビティを上部キャビティ１１４と下部キャビティ１１３に分割し、ロープ巻き取り装置は上部キャビティ１１４に設けられ、下部キャビティ１１３に回路モジュール、制御モジュール、アンテナ回路モジュール等の正常な動作に関する通常の回路部材は設けられ、回路モジュール、制御モジュール、ロープ巻き取りモータ１１５の間に回路構造によって接続され、制御モジュールはロープ巻き取りモータの回転及び回転方向を制御し、回路モジュールはワイヤ、抵抗器、スイッチ、ダイオード等の通常の電子部品の必要に応じて組み立てられた回路構造とすることができ、回路モジュールはワイヤによってグリッド又は内蔵バッテリに接続され、該制御モジュールは通常の回路制御基板であり、その上に順次接続された入力モジュール、処理モジュール、記憶モジュール、出力モジュールは設けられ、操作又は信号に応じて回路状態を変更するために使用され、該ロープ巻き取りモータ１１５は通常の市場で販売される回転モータである。
【００４４】
図４〜１０に示すように、本実用新案では、前記切断スリーブ６の内壁と支持柱１の外壁との間に隙間が残され、前記牽引部材８の外壁と支持柱１の内壁との間に隙間が残され、切断スリーブ６の内壁に第一ボール６２が埋め込まれ、牽引部材８の外壁に第二ボール８２が埋め込まれ、したがって上下に移動する時の抵抗は小さい。この他、前記牽引部材８の中に内部構造ブロック８４が設けられ、前記内部構造ブロック８４の中心にカウンターウェイトブロック８５が設けられ、カウンターウェイトブロック８５の上部が牽引ロープ７の一端に接続される。
【００４５】
図１１〜２５に示すように、前記アンテナ本体３はキャビティを有する基幹３１及び一部の基幹３１キャビティの中に設けられた振動子モジュールを含み、前記基幹３１が直方体構造を有し、キャビティも直方体キャビティであり、前記振動子モジュールは取り付けピース３３、振動子ピース３２を含み、前記振動子ピース３２がピンシャフト３２４に固定され、該ピンシャフト３２４が回転可能に取り付けピース３３のピンホールに設けられ、且つピンシャフト３２４の取り付けピース３３を貫通する一端にギア３２３が固定され、前記基幹３１キャビティの内壁にギア３２３に噛み合うラックギヤ３１３が設けられ、ラックギヤ３１３の両端に落下防止突起３１４が設けられ、前記取り付けピース３３のアンテナ本体取り付け座４の中に設けられた一端にグローサ３３３が設けられ、該グローサ３３３がアンテナ本体取り付け座４の中に設けられた第二ギア４２に噛み合い、前記第二ギア４２がギアモータ４１に接続され、ギアモータ４１は第二ギア４２の正逆回転を制御し、前記ギアモータ４１はワイヤによって回路モジュールに接続され、制御モジュールはワイヤの通電、停電、電流方向を制御し、前記第二ギア４２が回転する時にグローサ３３３によって取り付けピース３３の移動を案内し、前記基幹３１の側部に振動子ピース３２が突出するための側溝３１２は設けられる。
【００４６】
更に、取り付けピース３３両側にある振動子ピース３２は対称に取り付けピース３３に設けられ、且つ対称に設置された二つのギア３２３は噛み合い、ギア３２３と振動子ピース３２がそれぞれ取り付けピース３３の上下両側に設けられる。グローサ３３３は取り付けピース３３一端の上下表面に設けられ、上表面でのグローサと下表面でのグローサはそれぞれ第二ギア４２に噛み合う。この他、前記基幹３１内部に取り付けピース３３の支持に用いられる支持突起３１１は設けられ、且つ基幹３１の下表面に中空３１５は設けられ、該中空３１５が水を排出するために用いられる。
【００４７】
この他、図１に示すように、前記台座１１のケースには開閉可能なサイドドア１０が設けられ、該サイドドア１０に制御パネルが設けられ、手動で操作を行うことができる。
【００４８】
以上は本実用新案の屋外アンテナ装置であり、ロープ巻き取りモータ１１５が回転する時に、正転と逆転の状態で牽引ロープ７の巻き取りと解除を実現することができ、それによって牽引部材８の上昇と降下を実現することができる。牽引部材８の上昇又は降下の時に、その磁気吸引切断スリーブ６の上昇又は降下を駆動することができ、該過程でブレード６３が溝１３を通って滑り、支持柱１に巻かれたロープを容易に切断することができる。この他、ギヤモータ４１の通電と回転方向を制御することにより、第二ギア４２に噛み合うグローサ３３３の移動を駆動させ、取り付けピース３３の伸縮を実現することができ、取り付けピース３３が移動する過程に、ラックギア３１３に噛み合うギア３２３が回転し、更に振動子ピース３２の展開と閉鎖を実現することができ、非常に便利であり、振動子ピース３２内縁が鋭利であり、振動子ピース３２の閉鎖過程に、振動子ピース３２内縁が側溝３１２と協働してその上に巻かれたロープを切断することができる。本技術では、切断スリーブ６の切断動作及び振動子ピース３２の切断動作は、制御パネルによって実現してもよいし、予め設定された時間に基づいて自動的に周期的に実現してもよく、例えば一週間に一回である。
【００４９】
上記内容は、本実用新案は屋外アンテナを提供し、支持柱に巻かれたロープを便利に切断することができ、人が高いところに登って操作する危険を避けることができる。
【００５０】
本実用新案の保護範囲は上記実施形態を含むがこれに限定されるものではなく、本発明の保護範囲は特許請求の範囲を基準にし、当業者に容易に考えられる置換、変更、改善はいずれも本発明の保護範囲に入る。
【図１】
0003222597.tif 000003
【図２】
0003222597.tif 000004
【図３】
0003222597.tif 000005
【図４】
0003222597.tif 000006
【図５】
0003222597.tif 000007
【図６】
0003222597.tif 000008
【図７】
0003222597.tif 000009
【図８】
0003222597.tif 000010
【図９】
0003222597.tif 000011
【図１０】
0003222597.tif 000012
【図１１】
0003222597.tif 000013
【図１２】
0003222597.tif 000014
【図１３】
0003222597.tif 000015
【図１４】
0003222597.tif 000016
【図１５】
0003222597.tif 000017
【図１６】
0003222597.tif 000018
【図１７】
0003222597.tif 000019
【図１８】
0003222597.tif 000020
【図１９】
0003222597.tif 000021
【図２０】
0003222597.tif 000022
【図２１】
0003222597.tif 000023
【図２２】
0003222597.tif 000024
【図２３】
0003222597.tif 000025
【図２４】
0003222597.tif 000026
【図２５】
0003222597.tif 000027
【手続補正書】
【提出日】令和1年6月13日(2019.6.13)
【手続補正１】
【補正対象書類名】実用新案登録請求の範囲
【補正対象項目名】全文
【補正方法】変更
【補正の内容】
【実用新案登録請求の範囲】
【請求項１】
屋外アンテナであって、
ベース（２）、前記ベース（２）に設けられた台座（１１）、前記台座（１１）に設けられた支持柱（１）、前記支持柱（１）の上部に設けられたアンテナモジュールを含み、
前記支持柱（１）は中空柱状構造であり、前記支持柱（１）の上部に取り付けプラットフォーム（５）が設けられ、前記支持柱（１）の外壁に上下に垂直な溝（１３）が設けられ、前記支持柱（１）に上下に移動可能な切断スリーブ（６）が設けられ、前記切断スリーブ（６）の内壁に溝（１３）内に設置されたブレード（６３）が設けられ、前記切断スリーブ（６）に更に第一磁石（６１）が設けられ、前記支持柱（１）の内部キャビティに環状牽引部材（８）が設けられ、前記牽引部材（８）の外壁に第一磁石（６１）に吸い込まれた第二磁石（８１）が設けられ、牽引部材（８）に上向きの牽引ロープ（７）は接続され、前記牽引ロープ（７）が前記支持柱（１）上部の滑車（８）をバイパスした後に下向きに延び且つロープ巻き取り装置に接続され、前記ロープ巻き取り装置は前記台座（１１）に設けられたロープ巻き取りモータ（１１５）及び前記ロープ巻き取りモータ（１１５）に接続されたロープ巻き取りロッド（１１６）を含み、
前記アンテナモジュールは取り付けプラットフォーム（５）に固定されたアンテナ本体取り付け座（４）を含み、前記アンテナ本体取り付け座（４）の片側にアンテナ本体（３）が設けられ、
前記台座（１１）に更に回路モジュール、制御モジュールが設けられ、前記回路モジュール、前記制御モジュール、前記ロープ巻き取りモータ（１１５）の間は回路構造によって接続され、前記制御モジュールが前記ロープ巻き取りモータ（１１５）の回転を制御することを特徴とする屋外アンテナ。
【請求項２】
屋外アンテナであって、前記切断スリーブ（６）の内壁と前記支持柱（１）の外壁との間に隙間が残され、前記牽引部材（８）の外壁と前記支持柱（１）の内壁との間に隙間が残され、前記切断スリーブ（６）の内壁に第一ボール（６２）が埋め込まれ、前記牽引部材（８）の外壁に第二ボール（８２）が埋め込まれることを特徴とする請求項１に記載の屋外アンテナ。
【請求項３】
屋外アンテナであって、前記牽引部材（８）の中に内部構造ブロック（８４）が設けられ、前記内部構造ブロック（８４）の中心にカウンターウェイトブロック（８５）が設けられ、前記カウンターウェイトブロック（８５）の上部が前記牽引ロープ（７）の一端に接続されることを特徴とする請求項１に記載の屋外アンテナ。
【請求項４】
屋外アンテナであって、前記アンテナ本体（３）はキャビティを有する基幹（３１）及び一部の基幹（３１）キャビティの中に設けられた振動子モジュールを含み、前記振動子モジュールは取り付けピース（３３）、振動子ピース（３２）を含み、前記振動子ピース（３２）がピンシャフト（３２４）に固定され、前記ピンシャフト（３２４）が回転可能に取り付けピース（３３）に設けられ、且つピンシャフト（３２４）の取り付けピース（３３）を貫通する一端にギア（３２３）が固定され、前記基幹（３１）キャビティの内壁にギア（３２３）に噛み合うラックギヤ（３１３）が設けられ、前記取り付けピース（３３）のアンテナ本体取り付け座（４）の中に設けられた一端にグローサ（３３３）が設けられ、前記グローサ（３３３）がアンテナ本体取り付け座（４）の中に設けられた第二ギア（４２）に噛み合い、前記第二ギア（４２）がギアモータ（４１）に接続され、ギアモータ（４１）はワイヤによって回路モジュールに接続され、制御モジュールはワイヤの通電、停電、電流方向を制御し、前記第二ギア（４２）が回転する時にグローサ（３３３）によって取り付けピース（３３）の移動を案内し、前記基幹（３１）の側部に振動子ピース（３２）が突出するための側溝（３１２）は設けられることを特徴とする請求項１に記載の屋外アンテナ。
【請求項５】
屋外アンテナであって、前記台座（１１）のケースには開閉可能なサイドドア（１０）が設けられ、前記サイドドア（１０）に制御パネルが設けられることを特徴とする請求項１に記載の屋外アンテナ。
【請求項６】
屋外アンテナであって、取り付けピース（３３）両側にある振動子ピース（３２）は対称に取り付けピース（３３）に設けられ、且つ対称に設置された二つのギア（３２３）は噛み合い、ギア（３２３）と振動子ピース（３２）がそれぞれ取り付けピース（３３）の両側に設けられ、グローサ（３３３）は取り付けピース（３３）一端の上下表面に設けられ、上表面でのグローサと下表面でのグローサはそれぞれ第二ギア（４２）に噛み合うことを特徴とする請求項４に記載の屋外アンテナ。